(57)【要約】【課題】  不要な印刷用紙や廃棄書類、またチラシや古紙等の資源を回収して再資源化していることを企業がＰＲすることを促進することができる資源回収再利用支援方法を提供する。【解決手段】  企業３は、回収対象物を空回収ボックスに収容して資源回収再利用会社５に配送する。空回収ボックスに収容した回収対象物の量を端末装置１１に入力してサーバ１５に通知する。資源回収再利用会社５は、回収対象物を資源化するための処理を行う。企業３からのサーバ１５へのアクセスに応じて、その企業の各月あるいは各回の回収量、あるいはその累積量をウェブ画面で提供する。【選択図】図１
2019082939.tif 000002
【特許請求の範囲】
【請求項１】
利用者から申し込みを受け付ける第１の工程と、
前記回収対象物を収容するボックスを前記利用者に配送する第２の工程と、
前記利用者が回収対象物を前記ボックスに収容して回収業者に配送、あるいは前記回収業者が回収する第３の工程と、
前記利用者が、ウェブ画面上で、前記ボックスに収容した前記回収対象物の回収量を入力する第４の工程と、
サーバが、前記入力された回収量の累積量を表示する画面を提供する第５の工程と
を有する
資源回収再利用支援方法。
【請求項２】
前記サーバが、前記利用者からの要求に応じて、前記回収対象物に対しての再資源化した還元品を選択する画面を提供し、当該画面上で指定された還元品を前記ユーザに配送する処理を行う第６の工程
をさらに有する請求項１に記載の資源回収再利用支援方法。
【請求項３】
前記回収対象物は、古紙であり、
前記第３の工程で回収した回収した前記回収対象物の種類を検出する第７の工程
をさらに有する
請求項１又は請求項２に記載の資源回収再利用支援方法。
【請求項４】
前記第３の工程で回収した回収した前記回収対象物の使用状態を検出する第８の工程
をさらに有する
請求項１〜３のいずれかに記載の資源回収再利用支援方法。
【請求項５】
前記第７の工程で検出した前記回収対象物の種類及び使用状態の情報を、企業に提供する第９の工程
請求項３に記載の資源回収再利用支援方法。
【請求項６】
利用者の端末装置からサーバが申し込みを受け付ける第１の工程と、
前記回収対象物を収容するボックスを前記利用者に配送する第２の工程と、
前記利用者が回収対象物を前記ボックスに収容して回収業者に配送、あるいは前記回収業者が回収する第３の工程と、
前記利用者が端末装置を操作して、ウェブ画面上で、前記ボックスに収容した前記回収対象物の回収量を前記サーバに入力する第４の工程と、
前記サーバが、前記入力された回収量の累積量を表示する画面を提供する第５の工程と
を実行する資源回収再利用支援システム。
【発明の詳細な説明】
【技術分野】
【０００１】
本発明は、企業等が、不要な資源を回収して再資源化していることをＰＲすることを促進することができる資源回収再利用支援方法及びそのシステムに関するものである。
【背景技術】
【０００２】
ＣＳＲは企業が利益を追求するだけでなく、組織活動が社会へ与える影響に責任をもち、あらゆるステークホルダーからの要求に対して適切な意思決定をする責任を指す。CSRは企業経営の根幹において企業の自発的活動として、企業自らの永続性を実現し、また、持続可能な未来を社会とともに築いていく活動である。
【０００３】
ところで、企業の不要な印刷用紙や廃棄書類、またチラシや古紙などを回収して再資源化（利用）することは行われている。
【発明の概要】
【発明が解決しようとする課題】
【０００４】
しかしながら、従来では、企業は、廃品回収業者とのみ契約をし、回収された廃品がどのように再資源化されているかを知ることができない。そのため、その回収された廃品が再資源化されたとしても、そのことをＣＳＲの観点からＰＲすることが難しいという問題がある。
【０００５】
本発明はかかる事情に鑑みてなされたものであり、その目的は、不要な印刷用紙や廃棄書類、またチラシや古紙等の資源を回収して再資源化していることを企業がＰＲすることを促進することができる資源回収再利用支援方法及びそのシステムを提供することにある。
【課題を解決するための手段】
【０００６】
上述した目的を達成するために、本発明の資源回収再利用支援方法は、利用者から申し込みを受け付ける第１の工程と、前記回収対象物を収容するボックスを前記利用者に配送する第２の工程と、前記利用者が回収対象物を前記ボックスに収容して回収業者に配送、あるいは前記回収業者が回収する第３の工程と、前記利用者が、ウェブ画面上で、前記ボックスに収容した前記回収対象物の回収量を入力する第４の工程と、サーバが、前記入力された回収量の累積量を表示する画面を提供する第５の工程とを有する。
【０００７】
好適には、前記サーバが、前記利用者からの要求に応じて、前記回収対象物に対しての再資源化した還元品を選択する画面を提供し、当該画面上で指定された還元品を前記ユーザに配送する処理を行う第６の工程をさらに有する。
【０００８】
好適には、前記回収対象物は、古紙であり、前記第３の工程で回収した回収した前記回収対象物の種類を検出する第７の工程をさらに有する。
【０００９】
好適には、前記第３の工程で回収した回収した前記回収対象物の使用状態を検出する第８の工程をさらに有する。
【００１０】
好適には、前記第７の工程で検出した前記回収対象物の種類及び使用状態の情報を、企業に提供する第９の工程をさらに有する。
【００１１】
本発明の資源回収再利用支援システムは、利用者の端末装置からサーバが申し込みを受け付ける第１の工程と、前記回収対象物を収容するボックスを前記利用者に配送する第２の工程と、前記利用者が回収対象物を前記ボックスに収容して回収業者に配送、あるいは前記回収業者が回収する第３の工程と、前記利用者が端末装置を操作して、ウェブ画面上で、前記ボックスに収容した前記回収対象物の回収量を前記サーバに入力する第４の工程と、前記サーバが、前記入力された回収量の累積量を表示する画面を提供する第５の工程とを実行する。
【発明の効果】
【００１２】
本発明によれば、不要な印刷用紙や廃棄書類、またチラシや古紙等の資源を回収して再資源化していることを企業がＰＲすることを促進することができる資源回収再利用支援方法及びそのシステムを提供することができる。
【図面の簡単な説明】
【００１３】
【図１】図１は、本発明の実施形態に係る資源回収再利用支援システムの全体概念図である。
【図２】図２は、図１に示す資源回収再利用支援システムによるサービス手順を説明するための図である。
【図３】図３は、図１に示す資源回収再利用支援システムによるサービス概念を説明するための図である。
【図４】図４は、図１に示すサーバの機能ブロック図である。
【発明を実施するための形態】
【００１４】
以下、本実施形態に係る資源回収再利用支援システムについて説明する。
本実施形態の資源回収再利用支援システムは、「回収・処理され、再資源化された資源を再び還元アイテムへと生まれ変わらせ、導入企業さまへ還元する」ところまでをワンストップで提供することを支援するために用いられる。
【００１５】
すなわち、単に「処理して終わり」の従来の「回収・処理」だけの工程だけでなく、「回収→処理→資源化→還元」という一連のエコサイクルを生み、創出型のサービスを提供する。
また、資源回収再利用支援システムは、還元されてくるまでの過程を可視化し、それをWebサービスとして導入企業が自らのマイページ上で管理・閲覧・処理することで、日々のＣＳＲ・社会貢献へ繋げるアシスト役を担う社会貢献プラットフォームを提供する。
資源回収再利用支援システムは、企業・個人・処理事業者の３者が交わるプラットフォームを提供するものである。
また、資源回収再利用支援システムは、社会貢献プラットフォームであり、企業・個人・処理業者の３者が利用するプラットフォームである。古紙類を処理しＣＳＲ・社会貢献をする企業、自宅の不要なチラシや不要物を処分しながら身近な社会貢献や活動へ役立てる個人、そしてそれらから出てくる廃棄・処理する物量を処理する処理事業者の3者間がそれぞれ利用することのできるプラットフォームである。
【００１６】
図１は、本発明の実施形態に係る資源回収再利用支援システム１の全体概念図である。
図１に示すように、企業３の担当者が、資源回収再利用会社５にサービス申し込みをし、毎月一定額のサービス料を支払う。
サービスが開始されると、資源回収再利用会社５は、企業３からの空回収ボックス要求に応じて、回収対象を収容する空回収ボックスを配送する。回収対象物としては、例えば、企業３の不要な印刷用紙や廃棄書類、またチラシや古紙等がある。
【００１７】
。
企業３と資源回収再利用会社５と間のやり取りは、例えば、企業３の担当者に操作に応じて端末装置１１と、資源回収再利用会社５のサーバ１５との間で行われる。
【００１８】
図２は、図１に示す資源回収再利用支援システム１によるサービス手順を説明するための図である。図３は、図１に示す資源回収再利用支援システムによるサービス概念を説明するための図である。
【００１９】
以下、図２に示す各ステップについて説明する。
ステップＳＴ１：
企業３は、サービス登録後に、回収対処物が溜まると、空回収ボックス要求を資源回収再利用会社５に出す。このとき、個数を指定してもよいし、個数が契約により事前に決められていてもよい。
【００２０】
ステップＳＴ２：
資源回収再利用会社５は、空回収ボックスを企業３には配送する。
【００２１】
ステップＳＴ３：
企業３は、回収対象物を空回収ボックスに収容する。
【００２２】
ステップＳＴ４：
企業３は、空回収ボックスが収容された空回収ボックスを資源回収再利用会社５に配送する。
【００２３】
ステップＳＴ５：
資源回収再利用会社５の担当者が、空回収ボックスに収容した回収対象物の量（回収量）を端末装置１１に入力してサーバ１５に通知する。
サーバ１５は、通知を受けた回収量と、累積量を管理する。
【００２４】
ステップＳＴ６：
資源回収再利用会社５は、企業３から受けた空回収ボックスから回収対象物を出して、それを資源化するための処理を行う。当該資源化は、資源回収再利用会社５が外部の専門業者に依頼してもよい。
そして、当該資源化によって、回収対象物を再利用した還元品を製造する。当該還元品としては、例えば、コピー用紙、メモ用紙、名刺入れ、ノート、コースター、便箋、レターセット、手帳料リフィル等がある。
【００２５】
ステップＳＴ７：
資源回収再利用会社５は、各企業３について、企業３からのサーバ１５へのアクセスに応じて、その企業の各月あるいは各回の回収量、あるいはその累積量をウェブ画面で提供する。これにより、資源回収の貢献度を視覚化できる。
【００２６】
ステップＳＴ８：
資源回収再利用会社５のサーバ１５は、企業３に対して、例えば、回収量に応じた還元品を申し込むウェブ画面を提供する。企業３は、ウェブ画面から、希望する還元品を申し込み、資源回収再利用会社５はそれを配送する。なお、還元品の量や個数は、予め契約したプライに応じて決定し、回収量に応じていなくてもよい。
【００２７】
図４は、図１に示すサーバ１５の機能ブロック図である。
図４に示すように、サーバ１５は、例えば、通信インタフェース２１、ディスプレイ２２、操作部２３、メモリ２４及び処理回路２５を有する。
そして、処理回路２５でプログラムを実行して、本実施形態で説明したサーバ１５の処理を実行する。
【００２８】
以上説明したように、資源回収再利用支援システム１によれば、一般の機密文書の回収・処分、またはオフィスで日々使用しているプリント用紙や不要なチラシなどを回収・処理を行いその処分物から再資源化させて、日々業務で使える資源に変えて、導入企業へ還元アイテムとして還元することができる。これにより、「不要なものを資源に変える」という創出型社会の実現を加速させることができる
【００２９】
導入企業が出したゴミから資源を創り出し、それを日常的にオフィスの業務で使用するオフィス用品などの備品に商品化し、導入企業へ還元していくという、還元するところまでを見据えた「リアルな行動とWebサービス」を融合させた、導入企業自らが参加体験して還元するところまでを提供することができる。これにより、企業３は、資源回収再利用支援システム１が提供するサービスを利用していることを公表することで、ＣＳＲについてのＰＲが可能になる。
【００３０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３１】
例えば、資源回収再利用会社５は、企業３からの空回収ボックスから取り出した回収対象物（チラシ）を所定の装置に入れて、その回収対象物の種類や、その使用状態（折り曲げ具合）を検出するようにしてもよい。このとき、人工知能（ＡＩ）技術を採用してもよい。そして、資源回収再利用会社５は、当該検出した回収対象物の種類及び使用状態の情報を、企業３に提供してもよい。
また、上述した実施形態では、利用者として企業を例示したが、企業以外の学校等のその他の組織でもよい。
【産業上の利用可能性】
【００３２】
本発明は、企業等が、不要な資源を回収して再資源化していることをＰＲすることを促進することができる資源回収再利用支援システムに適用可能である。
【符号の説明】
【００３３】
１…資源回収再利用支援システ
３…企業
５…資源回収再利用会社
１１…端末装置
１５…サーバ
【図１】
2019082939.tif 000003
【図２】
2019082939.tif 000004
【図３】
2019082939.tif 000005
【図４】
2019082939.tif 000006
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
端末装置が、利用者の事業所内に設置されるボックスに収容されている古紙である回収対象物の回収量の入力を受け付ける工程と、
前記端末装置が、入力を受け付けた回収対象物の回収量をサーバに通知する、工程と、
前記サーバが、通知を受けた企業の各月あるいは各回の回収量、あるいはその累積量をウェブ画面で提供する工程と、
前記サーバが、企業の端末装置に対して、回収量に応じた、前記回収対象物に対しての再資源化した還元品を申し込むウェブ画面を提供する工程と、
を有する、資源回収再利用支援方法。
【請求項２】
端末装置と、前記端末装置とネットワークを介して接続されるサーバと、から構成される資源回収再利用支援システムであって、
端末装置が、利用者の事業所内に設置されるボックスに収容されている古紙である回収対象物の回収量の入力を受け付ける工程と、
前記端末装置が、入力を受け付けた回収対象物の回収量をサーバに通知する、工程と、
前記サーバが、通知を受けた企業の各月あるいは各回の回収量、あるいはその累積量をウェブ画面で提供する工程と、
前記サーバが、企業の端末装置に対して、回収量に応じた、前記回収対象物に対しての再資源化した還元品を申し込むウェブ画面を提供する工程と、
を実行する、資源回収再利用支援システム。